(57)【要約】【課題】テレビ撮影用又はシネマ撮影用のレンズ装置に表示器を設置し、その表示器に焦点距離、被写体距離、Ｆナンバー、被写界深度、画角、自己診断結果、焦点評価値等のレンズ情報を表示できるようにすることによって、従来のようにレンズ装置にケーブル等で接続した表示装置にこれらの情報を表示させる場合よりもコストを低減し、また、利便性を向上させることができるレンズ情報表示装置を提供する。【解決手段】ＥＮＧレンズ１０の駆動ユニット１４には液晶表示器４６が設置されており、この液晶表示器４６に各種レンズ情報が表示される。また、液晶表示器４６にメニュー形式で表示される案内画面に従って各種機能の設定も容易に行うことができるようになっている。【選択図】      図１
2005070635.tif 000002
【特許請求の範囲】
【請求項１】
テレビ撮影又はシネマ撮影用のカメラに使用されるレンズ装置に設置された表示器と、
前記レンズ装置に内蔵された表示制御手段であって、焦点距離、被写体距離、Ｆナンバー、被写界深度、及び、画角の情報からなる前記レンズ装置の光学系に関する設定状態の情報、自己診断結果の情報、及び、焦点評価値の情報のうち少なくともいずれか１つの情報を前記表示器に表示させる表示制御手段と、
を備えたことを特徴とするレンズ情報表示装置。
【請求項２】
前記表示制御手段は、前記設定状態の情報を前記表示器に表示させる場合において、焦点距離、被写体距離、Ｆナンバー、被写界深度、及び、画角の情報を切り替えて前記表示器に表示させることを特徴とする請求項１のレンズ情報表示装置。
【請求項３】
前記表示制御手段は、前記レンズ装置の機能に関する設定を案内する情報、日付時刻情報、電源電圧情報、又は、ストップウォッチ情報を表示することを特徴とする請求項１又は２のレンズ情報表示装置。
【発明の詳細な説明】
【技術分野】
【０００１】
本発明はレンズ情報表示装置に係り、特にテレビ撮影又はシネマ撮影用のレンズ装置に適用されるレンズ情報表示装置に関する。
【背景技術】
【０００２】
例えばテレビ放送用のカメラで使用されるレンズ装置には、主に取材などで携帯する場合に使用されるＥＮＧレンズや、主にスタジオ等で据え置きで使用される箱型のＥＦＰレンズ等がある。このようなテレビ放送用のレンズ装置において、従来、光学系に関する情報、例えば、焦点距離、被写体距離、Ｆナンバーなどの光学系の設定情報、ピント情報、自己診断機能における自己診断結果の情報などのレンズ情報をレンズ装置にケーブル等で接続した表示装置に表示できるようにしたシステムが提案されている（例えば特許文献１参照）。
【０００３】
また、テレビ放送用のレンズ装置では、標準的に、又は、所定のアクセサリーを使用することにより、光学系のフォーカス、ズーム、アイリス等の駆動（レンズ駆動）を電動で行うことができるようになっており、レンズ駆動を電動で行えるようにした場合において、オートフォーカス機能、オートアイリス機能、クイックズーム機能、オートクルージング機能、ワンショットプリセット機能などの種々の機能を使用できるようにしたものも知られている。
【特許文献１】特開２００３−１４９５４１号公報
【発明の開示】
【発明が解決しようとする課題】
【０００４】
しかしながら、従来のようにレンズ情報をレンズ装置にケーブル等で接続した表示装置に表示するようにしたのでは運用上不便な場合もあり、コストや利便性の面で問題があった。
【０００５】
また、従来では、レンズ装置の各種機能の設定をレンズ装置に設けられたディップスイッチで行うのが一般的であるが、近年ではレンズ装置の機能が多機能化しているためディップスイッチでは設定機能の種類に対応できなくなりつつある。
【０００６】
本発明はこのような事情に鑑みてなされたもので、レンズ情報を表示するために低コストで利便性の良いレンズ情報表示装置を提供することを目的とする。また、レンズ装置の多機能化に対応して機能設定を容易にするレンズ情報表示装置を提供することを目的とする。
【課題を解決するための手段】
【０００７】
前記目的を達成するために、請求項１に記載の発明は、テレビ撮影又はシネマ撮影用のカメラに使用されるレンズ装置に設置された表示器と、前記レンズ装置に内蔵された表示制御手段であって、焦点距離、被写体距離、Ｆナンバー、被写界深度、及び、画角の情報からなる前記レンズ装置の光学系に関する設定状態の情報、自己診断結果の情報、及び、焦点評価値の情報のうち少なくともいずれか１つの情報を前記表示器に表示させる表示制御手段と、を備えたことを特徴としている。
【０００８】
また、請求項２に記載の発明は、請求項１に記載の発明において、前記表示制御手段は、前記設定状態の情報を前記表示器に表示させる場合において、焦点距離、被写体距離、Ｆナンバー、被写界深度、及び、画角の情報を切り替えて前記表示器に表示させることを特徴としている。
【０００９】
また、請求項３に記載の発明は、請求項１又は２に記載の発明において、前記表示制御手段は、前記レンズ装置の機能に関する設定を案内する情報、日付時刻情報、電源電圧情報、又は、ストップウォッチ情報を表示することを特徴としている。
【発明の効果】
【００１０】
本発明によれば、レンズ装置に表示器を設置し、その表示器に焦点距離、被写体距離、Ｆナンバー、被写界深度、及び、画角の情報からなる前記レンズ装置の光学系に関する設定状態の情報、自己診断結果の情報、及び、焦点評価値の情報のうち少なくともいずれか１つの情報を表示させるようにしたため、従来のようにレンズ装置にケーブル等で接続した表示装置に表示させる場合よりもコストを低減することができ、また、利便性が向上する。更に、このような表示器の案内画面に従ってレンズ装置の各種機能の設定を行えるようにすることも可能であり、これによってレンズ装置の多機能化に対応して機能設定を容易に行うことができるようになる。
【発明を実施するための最良の形態】
【００１１】
以下添付図面に従って、本発明に係るレンズ情報表示装置の好ましい実施の形態について詳説する。
【００１２】
図１は、本発明が適用されるレンズ装置の外観を示した平面図である。同図に示すレンズ装置１０は、テレビ放送用のＥＮＧカメラ等に交換可能に装着されるＥＮＧレンズであり、インナーフォーカス式ズームレンズである。尚、以下、レンズ装置１０をＥＮＧレンズ１０という。
【００１３】
ＥＮＧレンズ１０は、主に、レンズ鏡胴１２とその内部の光学部品、及び、レンズ鏡胴１２の側部に設置される駆動ユニット１４とから構成されている。駆動ユニット１４はレンズ鏡胴１２にビスにより取り付けられており、ビスを外せばレンズ鏡胴１２から取り外すことも可能であるが、基本的にレンズ鏡胴１２と一体のレンズ装置として製品化されているもので、別売されるアクセサリー（付属装置）とは異なる。
【００１４】
レンズ鏡胴１２の後端にはマウントが設けられており、これによりカメラ本体に着脱することができるようになっている。また、レンズ鏡胴１２にはフォーカスリング１６、ズームリング１８、及び、アイリスリング２０が設けられ、レンズ鏡胴１２の後端側にはエクステンダ（装置）２２が設けられている。レンズ鏡胴１２の内部構成については図示されていないが、周知の如く、前方から順に、固定のフォーカスレンズ、可動のフォーカスレンズ（群）、ズームレンズ（群）、アイリス、及びリレーレンズ（群）等が配置され、その後方に、エクステンダ２２のレンズ（群）が配置されている。可動のフォーカスレンズ（以下、単にフォーカスレンズという）は、フォーカスリング１６が回動するとこれに連動して光軸方向に前後動するようになっており、これによりフォーカスレンズの位置が変化すると、ピントを合わせる被写体の距離（被写体距離）が変化する。
【００１５】
ズームレンズは、所定の位置関係をもって光軸方向に移動する変倍系レンズと補正系レンズとからなり、ズームリング１８が回動するとこれに連動してズームレンズ（変倍系レンズ及び補正系レンズ）が光軸方向に前後動するようになっている。これによりズームレンズの位置が変化すると、ズーム倍率（焦点距離）が変化する。
【００１６】
アイリスは、アイリスリング２０が回動するとこれに連動して開閉動作するようになっており、これによってアイリスの位置（開口量）が変化すると絞り値（Ｆナンバー）が変化する。エクステンダ２２は、レンズ鏡胴１２内の光学系により結像される像の倍率を例えば１倍と２倍とで切り替えるための各倍率に対応したレンズ（以下、これらのレンズをエクステンダレンズという）を備えており、駆動ユニット１４のモータに連結されるモータ連結部の動作又はマニュアル操作される所定のレバーの動作によって、被写体光が通過する光学系の光軸上に挿入されるエクステンダレンズが所望の倍率用のエクステンダレンズに切り替わるようになっている。
【００１７】
一方、駆動ユニット１４は、ケース２４で覆われており、ケース２４の内部に、駆動ユニット１４を構成するモータ、センサ、メカ機構、回路部品等が配置されている。駆動ユニット１４に配置されているモータにはフォーカスモータ、ズームモータ、アイリスモータ、エクステンダモータがあり、これらのモータはそれぞれギア伝達機構を介してレンズ鏡胴１２のフォーカスリング１６、ズームリング１８、アイリスリング２０、エクステンダ２２のモータ連結部に連結されている。従って、各モータが駆動されると、フォーカスリング１６、ズームリング１８、アイリスリング２０が回動し、また、エクステンダ２２のモータ連結部が動作し、フォーカスレンズ、ズームレンズ、アイリス、エクステンダレンズが駆動される。
【００１８】
駆動ユニット１４の側面にはグリップバンド２６が取り付けられており、カメラマンはこのグリップバンド２６の中に右手（親指以外の４本の指）を挿入してケース２４を把持することにより、ＥＮＧレンズ１０全体を支えることができ、また、ケース２４の外面の各所に配置されたスイッチ等の各種操作部材を各指により操作することができるようになっている。
【００１９】
ケース２４に配置される操作部材として例えば、ケース２４の上面にはズームシーソーコントロールスイッチ２８、アイリスオート／マニュアルモード切替スイッチ３０、アイリスモーメンタリースイッチ３２、リターンスイッチ３４、プリセットスイッチ３６、プリセットメモリスイッチ３８等が設けられている。また、ケース２４の後面にはＶＴＲスイッチ４０、クイックズーム（Ｑ・Ｚ）＆オートクルージングズーム（Ｃ・Ｚ）スイッチ４２、ズーム最大スピード調節ツマミ４４等が設けられている。
【００２０】
また、ケース２４の上面には、液晶表示器４６が設けられると共に、その近傍に液晶表示器の画面操作に必要な複数の画面操作用スイッチ４８が配置されている。本駆動ユニット１４では、各種機能の設定をユーザが行えるようになっており、その設定を行うためにメニュー形式の案内画面が液晶表示器４６に表示されるようになっている。ユーザは、その案内画面を見ながら画面操作用スイッチ４８を操作することによって各機能の設定を行うことができる。また、液晶表示器４６には、詳細を後述するように各種レンズ情報を表示させることができるようになっている。
【００２１】
ここで、液晶表示器４６の案内画面を見ながら設定できる機能の設定項目として、例えば、アイリス調整をオートで行うかマニュアルで行うかの機能設定項目、クイックズームを有効にするか無効にするかの機能設定項目、ＶＴＲスイッチ４０をクイックズーム用のスイッチに変更するか否かの機能設定項目、リターンスイッチ３４をクイックズーム用のスイッチに変更するか否かの機能設定項目、プリセット機能を有効にするか無効にするかの機能設定項目などがある。
【００２２】
尚、以上の駆動ユニット１４には、フォーカスコントローラやズームコントローラなどのコントロール装置や本ＥＮＧレンズ１０が装着されるカメラ本体をケーブル等により接続するコネクタが設けられている。
【００２３】
図２は、上記駆動ユニット１４の回路構成を示したブロック図である。レンズ鏡胴１２には上述のようにフォーカスレンズＦＬ、ズームレンズＺＬ、アイリスＩ、エクステンダレンズＥＬが配置されており、駆動ユニット１４にはこれらの可動の光学部品のそれぞれに対応してフォーカスモータＦＭ、ズームモータＺＭ、アイリスモータＩＭ、エクステンダモータＥＭが配置されている。また、各モータＦＭ、ＺＭ、ＩＭ、ＥＭの動力をそれぞれレンズ鏡胴１２のフォーカスリング１６、ズームリング１８、アイリスリング２０、エクステンダ２２のモータ連結部を介してフォーカスレンズＦＬ、ズームレンズＺＬ、アイリスＩ、エクステンダレンズＥＬに伝達するギア伝達機構ＦＧ、ＺＧ、ＩＧ、ＥＧが設けられている。これにより、フォーカスモータＦＭ、ズームモータＺＭ、アイリスＩＭ、エクステンダモータＥＭのそれぞれの回動によってフォーカスレンズＦＬ、ズームレンズＺＬ、アイリスＩ、エクステンダレンズＥＬが駆動される。
【００２４】
駆動ユニット１４にはＣＰＵ５０が搭載されており、ＣＰＵ５０からは各モータＦＭ、ＺＭ、ＩＭ、ＥＭを駆動するための駆動信号がＤ／Ａ変換器５２を介して各モータＦＭ、ＺＭ、ＩＭ、ＥＭに対応するアンプＦＡ、ＺＡ、ＩＡ、ＥＡに出力されるようになっている。これにより駆動信号の電圧値に応じた回転速度で各モータＦＭ、ＺＭ、ＩＭ、ＥＭが駆動される。また、フォーカスレンズＦＬ、ズームレンズＺＬ、アイリスＩ、エクステンダレンズＥＬのそれぞれと連動して可動する部分（例えば、ギア伝達機構ＦＧ、ＺＧ、ＩＧ、ＥＧの構成ギアや操作リングなど）に係合された位置検出器ＦＰ、ＺＰ、ＩＰ、ＥＰ（例えば、ポテンショメータ）が駆動ユニット１４に搭載されており、ＣＰＵ５０はそれらの位置検出器ＦＰ、ＺＰ、ＩＰ、ＥＰからの検出信号を取得することによってフォーカスレンズＦＬ、ズームレンズＺＬ、アイリスＩ、エクステンダレンズＥＬの現在位置の情報を取得している。各々の位置を制御する場合等に位置検出器ＦＰ、ＺＰ、ＩＰ、ＥＰから得られる現在位置の情報が使用される。
【００２５】
一方、ＣＰＵ５０には、駆動ユニット１４の各所に設けられた上記操作部材（図中では操作部５４として示す）の操作に基づく操作信号や、駆動ユニット１４に接続されたコントローラ７０やカメラ本体７２からの制御信号が与えられるようになっている。操作部５４の操作に基づく操作信号は、操作部材の状態を検出するスイッチやセンサ（ポテンショメータ等）等によって得られる信号であり、アナログの操作信号の場合にはＡ／Ｄ変換器５６によってデジタル信号に変換されてＣＰＵ５０に与えられる。
【００２６】
コントローラ７０からＣＰＵ５０に与えられる制御信号は、駆動ユニット１４に接続された各種コントローラから出力されるフォーカスレンズＦＬ、ズームレンズＺＬ、アイリスＩ、又は、エクステンダレンズＥＬの目標とする状態（位置や動作速度）を指示する制御信号であり、例えば、フォーカス制御用のフォーカスコントローラが駆動ユニット１４に接続された場合、フォーカスコントローラからはマニュアル操作に基づいてフォーカスレンズの目標位置を指示する制御信号がＣＰＵ５０に与えられる。尚、同図ではコントローラ７０からの制御信号がアナログ信号の場合を示しており、その制御信号はＡ／Ｄ変換器５６を介してＣＰＵ５０に与えられる。また、コントローラ７０とＣＰＵ５０との間でシリアル通信によりデジタル信号の送受信を行えるようにし、制御信号をデジタル信号ですることも可能である。
【００２７】
カメラ本体７２からＣＰＵ５０に与えられる制御信号には例えばオートアイリスの際にカメラ本体７２から最良のアイリス位置（Ｆナンバー）を指示する制御信号等がある。また、詳細な説明は省略するが、オートフォーカスによりフォーカス制御を行う場合に最良ピントが得られるようにフォーカスレンズＦＬを制御するフォーカス制御信号がカメラ本体７２からＣＰＵ５０に与えられるようになっている。その際、カメラ本体７２では、撮像素子により撮像して得られた映像信号（輝度信号）から高域周波数成分の信号を抽出し、１画面分又は１画面中の所定エリア分の高域周波数成分の信号を積算することにより焦点評価値を求める。焦点評価値は、撮像面に結像された像のコントラストの高低を定量的に評価する値であり、その焦点評価値が最大（極大）、即ち、像のコントラストが最大となるようにフォーカスレンズＦＬを制御するフォーカス制御信号をＣＰＵ５０に出力する。これにより最良ピントとなる位置にフォーカスレンズＦＬを移動させる。
【００２８】
尚、ＣＰＵ５０は、オートフォーカス時に限らずカメラ本体７２で算出された焦点評価値の情報を取得することもできるようになっており、後述のように液晶表示器４６に焦点評価値の情報を表示する場合にカメラ本体７２から焦点評価値の情報を取得する。また、焦点評価値の算出をカメラ本体７２での処理により行い、オートフォーカス時におけるフォーカスレンズＦＬの制御等を、その焦点評価値を取得したＣＰＵ５０が行うようにしてもよい。また、焦点評価値を算出する処理回路を駆動ユニット１４に搭載し、カメラ本体からは映像信号を取得して、焦点評価値の算出及び焦点評価値に基づくフォーカスレンズＦＬの制御を駆動ユニット１４で行うようにしてもよい。
【００２９】
ＣＰＵ５０は、上述のようにして与えられる各種操作信号、制御信号を読み取り、それらの操作信号や制御信号に基づいて対応する処理を実行する。例えば、与えられた操作信号又は制御信号が、フォーカスレンズＦＬ、ズームレンズＺＬ、アイリスＩ、又は、エクステンダレンズＥＬの状態の制御に関する指示の場合、ＣＰＵ５０は、フォーカスレンズＦＬ、ズームレンズＺＬ、アイリスＩ、エクステンダレンズＥＬが操作信号又は制御信号により指示された状態となるように、アンプＦＡ、ＺＡ、ＩＡ、ＥＡへの駆動信号の電圧値を調整し、その駆動信号をＤ／Ａ変換器５２を介して対応するアンプＦＡ、ＺＡ、ＩＡ、ＥＡに出力する。これにより、モータＦＭ、ＺＭ、ＩＭ、ＥＭが駆動され、フォーカスレンズＦＬ、ズームレンズＺＬ、アイリスＩ、エクステンダレンズＥＬが操作信号又は制御信号により指示された目標状態に制御される。
【００３０】
また、駆動ユニット１４には電圧検出回路７４が設けられており、カメラ本体７２から駆動ユニット１４に供給される電源の電圧が電圧検出回路７４によって検出されてＣＰＵ５０で読み取れるようになっている。
【００３１】
また、駆動ユニット１４には上記液晶表示器４６が内蔵されており、その液晶表示器４６には、ＣＰＵ５０からの表示データにより表示用ドライバ５８を介して各種情報画面が表示されるようになっている。ＣＰＵ５０は、表示する情報内容を示す表示データを表示用ドライバ５８に出力し、後述する各種レンズ情報等の情報画面を液晶表示器４６に表示させる。また、メニュー形式の案内画面等によりユーザに所要の選択を行わせる表示を行った場合に、液晶表示器４６の近傍に配置された画面操作用スイッチ４８の操作を監視し、その操作に応じた処理を実行する。
【００３２】
例えば、レンズ装置１０の機能の設定を案内する案内画面を液晶表示器４６に表示する場合において、レンズ装置１０における設定機能（設定可能な機能）の一覧画面を液晶表示器４６に表示し、どの機能の設定を行うかをユーザに選択させる。そして、ユーザが画面操作用スイッチ４８の操作によって設定したい機能を選択すると、ＣＰＵ５０はその操作を検出してユーザが選択した機能を認識し、続いてその機能についての設定内容を選択する選択画面を液晶表示器４６に表示する。次にユーザが画面操作用スイッチ４８の操作により設定内容を選択すると、ＣＰＵ５０はその操作を検出してユーザが選択した設定内容を認識し、その設定内容での機能の実行を有効にする。
【００３３】
次に、ＣＰＵ５０の表示制御により液晶表示器４６に表示されるレンズ情報の表示形態について説明する。図３乃至図８は、液晶表示器４６に例えば切替表示されるレンズ情報の表示例である。図３は自己診断結果情報の表示例を示す。自己診断は、フォーカスレンズＦＬ、ズームレンズＺＬ、アイリスＩ、エクステンダレンズＥＬが正常に動作するか否か等を判断する機能であり、上記駆動ユニット１４に自己診断機能が搭載されているものや、所定の付属装置を駆動ユニット１４に接続することによって自己診断を行えるようにしたものがある。自己診断機能を実行した結果、フォーカス、ズーム、アイリス、エクステンダのいずれもが正常であれば図３に示すように各対象の欄に「ＯＫ」と表示される。もし、異常があればその対象の欄に「ＮＧ」と表示される。
【００３４】
図４は、焦点評価値情報の表示例である。焦点評価値は上述のように像のコントラストの高低を示す値であり、焦点評価値情報を表示する場合、オートフォーカス、マニュアルフォーカスにかかわらずＣＰＵ５０はカメラ本体７２等から焦点評価値を取得する。そして、図４（Ａ）のようにフォーカスレンズの位置と焦点評価値との関係をグラフ表示させる場合には、焦点評価値を取得すると共に位置検出器ＦＰからフォーカスレンズＦＬの現在位置を取得し、それらの値に対応する画面上の座標位置に点を描画する。また、フォーカスレンズＦＬの現在位置を示すラインＬを表示する。この処理を繰り返し行うことによってフォーカスレンズＦＬの位置の変化と共に、各位置での焦点評価値の値を示すグラフ曲線ｍが液晶表示器４６の画面上に描画される。
【００３５】
また、図４（Ａ）のように焦点評価値をグラフ表示するのではなく、図４（Ｂ）に示すように数値表示することも可能であり、例えば、同図では焦点評価値の大きさを所定の基準値に対する割合（％）により表示している。尚、基準値は固定値であってもよいし、リセット処理されてから取得した焦点評価値のうち最大値を基準値としてもよい。また、焦点評価値の大きさを基準値に対する割合ではなく相対的な大きさを表す何らかの量（例えば、取得した焦点評価値自体、又は、その焦点評価値に定数をかけたもの等）を表示するようにしてもよい。また、図４（Ａ）に示すように図４（Ｂ）のような数値表示をグラフ表示と共に行うようにしてもよい。
【００３６】
図５は、光学系の設定状態（レンズデータ）を示す情報の表示例である。光学系の設定状態の情報として同図に示すように最上欄には被写体距離（O.D）及び被写界深度（カッコ内）が表示され、その一つ下の欄には焦点距離（F.L）が表示される。更にその一つ下の欄にはＦナンバー（FNO.）が表示され、最下欄には画角（A.V）が表示される。ＣＰＵ５０は、各位置検出器ＦＰ、ＺＰ、ＩＰ、ＥＰからフォーカスレンズＦＬ、ズームレンズＺＬ、アイリスＩ、エクステンダレンズＥＬの現在位置を逐次取得し、上記情報を求めて液晶表示器４６の画面に表示する。
【００３７】
図６は、電源電圧情報の表示例である。同図では、電源電圧（ＰＯＷＥＲ）が数値表示されており、ＣＰＵ５０は、例えばカメラ本体から供給される電源の電圧を上記電圧検出回路を介して逐次取得し、その取得した電源電圧の値を液晶表示器４６の画面に同図のように表示する。
【００３８】
図７は、日付・時刻情報の表示例である。同図に示すように上欄には日本における現在の日付及び時刻が表示され、下欄にはニューヨークにおける現在の日付及び時刻が表示される。ＣＰＵ５０は、内部時計の機能により日本の日付及び時刻と、日本とニューヨークの時差からニューヨークの日付及び時刻とを求め、液晶表示器４６の画面に表示する。
【００３９】
尚、上記各種レンズ情報は画面操作用スイッチ４８の操作によって切替表示されるようになっているが、これに限らず複数種の情報を１画面内に表示するようにしてもよい。また、上記種類以外の情報も表示できるようにしてもよい。例えば、レンズ装置１０にストップウォッチ機能を搭載し、そのストップウォッチ情報を表示できるようにしてもよい。
【００４０】
以上、上記実施の形態では、本発明をＥＮＧレンズに適用した場合について説明したが、スタジオ等において据え置きで使用されるＥＦＰレンズ等にも適用できる。また、テレビ撮影用のレンズ装置に限らずシネマ撮影用に使用されるレンズ装置においても本発明を適用できる。
【図面の簡単な説明】
【００４１】
【図１】図１は、本発明が適用されるレンズ装置の外観を示した平面図である。
【図２】図２は、駆動ユニットの回路構成を示したブロック図である。
【図３】図３は、図３は自己診断結果情報の表示例を示した図である。
【図４】図４は、焦点評価値情報の表示例を示した図である。
【図５】図５は、光学系の設定状態を示す情報の表示例を示した図である。
【図６】図６は、電源電圧情報の表示例を示した図である。
【図７】図７は、日付・時刻情報の表示例を示した図である。
【符号の説明】
【００４２】
１０…レンズ装置（ＥＮＧレンズ）、１２…レンズ鏡胴、１４…駆動ユニット、１６…フォーカスリング、１８…ズームリング、２０…アイリスリング、２２…エクステンダ、２４…ケース、４６…液晶表示器（ＬＣＤ）、４８…画面操作用スイッチ、５０…ＣＰＵ、７０…コントローラ、７２…カメラ本体、７４…電圧検出回路、ＦＬ…フォーカスレンズ、ＺＬ…ズームレンズ、Ｉ…アイリス、ＥＬ…エクステンダレンズ、ＦＭ…フォーカスモータ、ＺＭ…ズームモータ、ＩＭ…アイリスモータ、ＥＬ…エクステンダレンズ、ＦＧ、ＺＧ、ＩＧ、ＥＧ…ギア伝達機構、ＦＰ、ＺＰ、ＩＰ、ＥＰ…位置検出器
【図１】
2005070635.tif 000003
【図２】
2005070635.tif 000004
【図３】
2005070635.tif 000005
【図４】
2005070635.tif 000006
【図５】
2005070635.tif 000007
【図６】
2005070635.tif 000008
【図７】
2005070635.tif 000009